(57)【要約】【課題】本願発明はかかる課題を解決するためになされたもので、ユーザーレベルでも簡易な操作によって書体デザインを効率的に制作することができ、データ変換されたその書体を携帯端末に保存することによって、初期設定されている書体と入れ替えることができ、自分好みの書体デザインの携帯端末フォント表示システムを提供することを目的とする。【解決手段】フォントサーバー２にはアップロードされたエレメントデータが格納される。複数の書体デザインのエレメントデータが格納されるとともに、携帯端末１０にはフォントサーバー２から取得されたエレメントデータに基づいて文字コードに対応した漢字フォントを生成するフォント生成エンジンが設けられる。【選択図】  図５
2010102274.tif 000002
【特許請求の範囲】
【請求項１】
漢字を表示する表示手段と、
複数のエレメントデータ、及び、一の漢字を特定する漢字コードと、当該一の漢字を構成する複数の前記エレメントデータを特定するエレメントコードと、前記表示手段上で前記一の漢字を表示すべく前記エレメントデータのそれぞれの表示位置に関連する表示位置情報とが関連づけられているデータベースとを記憶するメモリと、
前記漢字コードに関連する入力情報を受け入れる入力手段と、
前記入力情報に関連する前記漢字コードを参照し、前記メモリに記憶された前記エレメントデータ及び前記第一のデータベースにアクセスし、前記漢字コードに対応する漢字を前記表示手段上で表示するための制御手段と、
を具備する、フォント表示システム。
【請求項２】
漢字を表示する表示手段と、
複数のエレメントデータ、及び、一の漢字の一部であるパーツデータを特定するパーツコードと、当該パーツデータを構成する複数の前記エレメントデータを特定するエレメントコードと、前記表示手段上で前記パーツデータを表示すべく前記エレメントデータのそれぞれの表示位置に関連する第一の表示位置情報とが関連づけられている第一のデータベース、一の漢字を特定すべくぞれぞれの前記パーツデータの表示位置に関連する第二の表示位置情報とが関連づけられている第二のデータベースが記憶されているメモリと、
前記漢字コードに関連する入力情報を受け入れる入力手段と、
前記入力情報に関連する前記漢字コードを参照し、前記メモリに記憶された前記複数のエレメントデータ、前記第一のデータベース、前記第二のデータベースにアクセスし、前記漢字コードに対応する漢字を前記表示手段上で表示するための制御手段と、
を具備する、フォント表示システム。
【請求項３】
前記複数のエレメントデータの少なくとも一部について、該エレメントデータと同じエレメントにかかる別のエレメントデータを記憶するための記憶手段を具備する、請求項１または２のフォント表示システム。
【請求項４】
同一のエレメントにかかる複数のエレメントデータのうちの一つを特定する情報を格納する格納手段を具備する、請求項１ないし３のフォント表示システム。
【請求項５】
漢字を前記表示手段上で表示するために、前記制御手段が、前記格納手段を参照することを特徴とする、請求項４のフォント表示システム。
【請求項６】
前記表示位置情報は、同一のエレメントにかかる複数のエレメントデータにおいて共通であることを特徴とする、請求項１ないし５のフォント表示システム。
【請求項７】
ユーザが編集もしくは創作したエレメントデータである制作エレメントデータが記憶されたサーバーのメモリから、通信網を介して、前記制作エレメントデータを受信する受信手段をさらに具備する、請求項１ないし請求項６にかかるフォント表示システム。
【請求項８】
ユーザが編集もしくは創作したエレメントデータにかかる情報を、通信網を介して、サーバーに送信する送信手段をさらに具備する、請求項７にかかるフォント表示システム。
【請求項９】
ユーザが編集もしくは創作したエレメントデータである制作エレメントデータ及びそのエレメントコードにかかる情報を受け入れる入力手段と、
前記入力手段が受け入れた前記エレメントコードと、前記制作エレメントデータを記憶するメモリ手段と、
ユーザの要求により、前記制作エレメントデータをユーザの保有する情報端末に送信する送信手段を具備するフォントサーバーであって、
前記ユーザの保有する情報端末は、請求項１ないし請求項８のいずれかにかかるフォント表示システムを具備することを特徴とする、フォントサーバー。
【発明の詳細な説明】
【技術分野】
【０００１】
本願発明は、インターネット接続機能を備えた携帯端末におけるフォント表示システムに関し、フォントデータの一部または全部をその文字表示に際して利用する技術に関する。
【背景技術】
【０００２】
携帯電話機やＰＤＡ等の携帯端末においては、複数の記号を組み合わせて様々な表情を表した顔文字や、文字のサイズに合わせて作成されたドット画像である絵文字の多くが、内蔵のメモリに予め登録されているものも少なくない。例えば、特許文献１（特開平１１−３４１５３６号公報）には、複数のフォントデータなどを格納する記憶部と、前記記憶部に格納された複数のフォントを切り替えるためのスイッチ部とを備え、ユーザの好みにより読み易い文字フォントに切り替えられるようにした文字フォント切替機能付き無線携帯端末が記載されている。
【特許文献１】特開平１１−３４１５３６号公報
【０００３】
しかしながら、前記従来の技術のものでは、カーナビやケータイ、ＰＤＡなどの携帯端末において初期設定された書体を好みに関わらず使うしかない。また複数の書体が選択できるとしても、自分でデザインした書体をデバイスに組み込むことは不可能であり、1000以上にも及ぶ多くの漢字（例えば、日本では第一第二水準の漢字合わせて約６０００の漢字が存在する）を統一したデザインで制作することは多大の手間と時間を要するという問題があった。部首、辺、旁などの漢字の共通パーツのデータベースをユーザが構築することは不可能であり、簡単な操作で漢字デザインを制作することはできなかった。
【０００４】
特に特許文献１の文字フォント切替機能付き無線携帯端末は、文字の基本形状要素からストロークの太さを考慮した形状の重要な形態を維持しつつ全体の大きさは与えられた表示領域に合うように形状を変換、生成するに際しては、その記憶部に文宇データごとに完成された字形データ(グリフデータ)を多量に保有しておく必要があり、そのデータ処理に負荷がかかるという問題もあった。
【発明の開示】
【発明が解決しようとする課題】
【０００５】
本願発明はかかる課題を解決するためになされたもので、ユーザーレベルでも簡易な操作によって書体デザインを効率的に制作することができ、データ変換されたその書体を携帯端末に保存することによって、初期設定されている書体と入れ替えることができ、自分好みの書体デザインの携帯端末フォント表示システムを提供することを目的とする。
【課題を解決するための手段】
【０００６】
前記課題を解決するためになされた本願発明の携帯端末のフォント表示システムは、
漢字を表示する表示手段と、複数のエレメントデータ、及び、一の漢字を特定する漢字コードと、当該一の漢字を構成する複数の前記エレメントデータを特定するエレメントコードと、前記表示手段上で前記一の漢字を表示すべく前記エレメントデータのそれぞれの表示位置に関連する表示位置情報とが関連づけられているデータベースとを記憶するメモリと、前記漢字コードに関連する入力情報を受け入れる入力手段と、前記入力情報に関連する前記漢字コードを参照し、前記メモリに記憶された前記エレメントデータ及び前記第一のデータベースにアクセスし、前記漢字コードに対応する漢字を前記表示手段上で表示するための制御手段と、を具備する、フォント表示システムにより、実現することができる。
【０００７】
また、前記課題を解決するためになされた本願発明の携帯端末のフォント表示システムは、
漢字を表示する表示手段と、複数のエレメントデータ、及び、一の漢字の一部であるパーツデータを特定するパーツコードと、当該パーツデータを構成する複数の前記エレメントデータを特定するエレメントコードと、前記表示手段上で前記パーツデータを表示すべく前記エレメントデータのそれぞれの表示位置に関連する第一の表示位置情報とが関連づけられている第一のデータベース、一の漢字を特定する漢字コードと、前記一の漢字を構成するパーツコードと、前記表示手段上で前記一の漢字を表示すべくぞれぞれの前記パーツデータの表示位置に関連する第二の表示位置情報が関連づけられている第二のデータベースが記憶されているメモリと、前記漢字コードに関連する入力情報を受け入れる入力手段と、前記入力情報に関連する前記漢字コードを参照し、前記メモリに記憶された前記複数のエレメントデータ、前記第一のデータベース、前記第二のデータベースにアクセスし、前記漢字コードに対応する漢字を前記表示手段上で表示するための制御手段と、を具備する、フォント表示システムによって実現することができる。
【０００８】
また、本願発明によるフォント表示システムは、エレメントデータの一部もしくは全部を差し替えたり、追加したりするためのデータ入力手段を具備するものであってもよい。さらに、本願発明によるフォント表示システムは、同一のエレメントについて、ユーザが制作したいくつかの字体にかかる複数のエレメントデータが記憶されている場合などを想定し、そのような複数のエレメントデータのうちの一つを指定する指定手段を具備するものであってもよい。このようなエレメントデータの指定は、それぞれのエレメントデータごとに行ってもよいし、エレメントデータのセット単位で行ってもよい。
【０００９】
また、本願発明にかかるフォント表示システムは、ユーザが編集もしくは創作したエレメントデータである制作エレメントデータが記憶されたフォントサーバーのメモリから、この制作エレメントデータを受信する受信手段をさらに具備してもよい。さらに、本願発明にかかるフォント表示システムは、ユーザが編集もしくは創作するエレメントデータにかかるエレメントコードにかかる情報をフォントサーバーに送信する送信手段をさらに具備してもよい。
【００１０】
本願発明にかかるフォントサーバーについては、編集もしくは創作するエレメントデータにかかるエレメントコードにかかる情報を受け入れる入力手段と、前記入力手段が受け入れたエレメントコードにかかるエレメントデータであって、ユーザが編集もしくは創作したエレメントデータである制作エレメントデータを記憶するメモリ手段と、ユーザの要求により、前記制作エレメントデータをユーザの保有する情報端末に送信する送信手段を具備するものであることが望ましい。このようなフォントサーバーと、ユーザの保有する本願発明にかかるフォント表示システムが連動することによって、後述するように、ユーザは、新たに編集・創作したフォントをダウンロードして、独自のフォントをフォント表示システムに表示することができる。また、ユーザは、他人の編集・創作したフォントをダウンロードして、同様にフォント表示システムに表示することも可能となる。
【００１１】
前記表示位置情報は、同一のエレメントにかかる複数のエレメントデータの少なくとも一部においては、共通であることが望ましい。これによって、ユーザが制作した字体のすべてにおいてそれぞれ固有の表示位置情報を記憶する必要はなく、いくつかの字体で共通のエレメントの表示位置情報を保有すれば足りるので、少ない情報量で所期の目的を達成することが可能となる。
【００１２】
このようにして、本願発明にかかるフォント表示システムによれば、ユーザが好みの書体を実現する書体制作ツールもしくは書体制作のためのシステムを構築できる。
【００１３】
なお、本明細書の「エレメントデータ」とは、漢字の一部を構成し、複数の漢字に共通に使用される形状要素もしくはその画像データのことをいい、本願発明でユーザーよる編集・創作の対象となる単位をいう。例えば、図９の図形（以下「サンズイ」という）は、それ自体がエレメントデータともいえるし、サンズイの一番上の辺もエレメントデータである。本願発明を実行する上で、適宜、そのフォント表示システムの設計において、エレメントデータとして定義できる形状のレベルは、一つのストローク（一筆で書ける連続した形状のこと）をエレメントデータとして定義してもいいし、サンズイなど漢字の一部をエレメントデータとして定義してもよい。また、このように定義されたエレメントデータに１：１で対応付けされ、これを特定するためのコードのことを、本明細書ではエレメントコードという。
【００１４】
一つのストロークをエレメントデータと定義する場合、エレメントデータから直接漢字画像を構成・表示する方式を採用してもいいし、エレメントデータの集合体（上例のサンズイのようなイメージである）をパーツデータと定義し、エレメントデータからパーツデータを構成するための中間的な位置情報、及び、パーツデータに１：１で対応付けされ、これを特定するためのコードとしてパーツコードという概念を導入し、エレメントデータからパーツデータを構成し、パーツデータによって漢字画像を構成・表示する方式を採用してもかまわない。かかる漢字の構成方式は、表示対象となる漢字によっても異なることがある。
【発明の効果】
【００１５】
本願発明によれば、ユーザが編集・創作したエレメントデータと、これに１：１で対応付けされるコードであるエレメントコードを携帯端末に保存し、携帯端末の初期設定時のエレメントデータと差し替えることで、文字コードに対応したフォントを生成して携帯端末に表示する。
【００１６】
1つのストロークに関する形状要素もしくはその画像データをエレメントデータとして定義する場合、その集合体としてパーツデータを定義づけることができる。パーツデータの位置情報は、携帯端末に記憶されたものをそのまま利用できるため、新たなフォントを表示するために差し替える必要のあるデータは２０〜３０個のエレメントデータだけになる。これにより自分で文字をデザインしてデータ変換された書体を携帯端末に保存することによって、初期設定されている書体と入れ替えることができ、自分好みの携帯端末のフォント表示システムを構築することができる。
【発明を実施するための最良の形態】
【００１７】
本願発明において携帯端末でフォントを表示する方法は、（Ｘ）それぞれのエレメントデータを用いて、直接所望の漢字を表示する方法と、（Ｙ）複数のエレメントデータの集合体であって、漢字の一部を構成する形状を「パーツ」と定義し、複数のパーツを組み合わせて所望の漢字を表示する方法の二つが最適な実施形態となる。
【００１８】
第一の実施態様について図１を用いて説明する。
漢字を構成するそれぞれの部分を図１に表示するように、エレメントデータとして定義し、これに関する情報が携帯端末のメモリに記憶されている。この実施態様におけるエレメントデータは、好ましくは、一筆で書ける範囲の形状（ストローク）である。エレメントデータは、あるストロークに関する制御点、点を結ぶ線の関数などを含むものであり、エレメントデータと定義された漢字の構成部分を画面上で表示する際の形状にかかる情報を含む。
【００１９】
それぞれのエレメントデータには、これと１：１で対応付けされ、エレメントデータを特定するためのエレメントコードが付与されている。さらに、エレメントコードごとに所望の漢字を表示する場合に必要な、各エレメントデータの表示位置に関連する表示位置情報が対応づけられている。表示位置情報は、所望の漢字を表示するためにエレメントデータごとに割り振られる画面上の表示に関する情報であり、エレメントデータの定義の仕方によって、表示位置の他、そのエレメントデータの表示角度、拡大率などを含む場合がある。
【００２０】
ここでは「涼」という漢字を表示する場合について例示する。「涼」という漢字は、9つのストロークで構成されている。ここでは、「サンズイ」は一種類のエレメントデータ（横に延びる水平線形状）を用い、三つの位置、角度にこのエレメントデータを配置することによって、「サンズイ」を表現している。
【００２１】
次に残りの部分である「京」は、６つのストロークを５種類のエレメントデータで表現するため、それぞれについて、位置及び表示角度を定義した。ここで「涼」には、特定の漢字コード「００１２」が割り振られており、その漢字コードにかかる漢字を表示すべき信号が発生した場合、メモリに格納された、上述したエレメントコードと表示位置情報が関連づけられたデータベースにアクセスされ、図示しない制御手段により「涼」という漢字が表示される。
【００２２】
第二の実施態様については図２を用いて説明する。
この実施態様においては、「涼」を構成する要素を「サンズイ」と“京”という二つのパーツに分け、これらをそれぞれパーツコード「２３ｈ」及び「７２ｊ」で定義している。パーツデータは、複数のエレメントデータから構成され、パーツデータを表示する場合は、エレメントデータを特定するエレメントコードと、各エレメントデータの表示位置に関連する表示位置情報を参照してなされる。つまり、パーツデータは、（ａ）呼び出すエレメントコード、（ｂ）配置する座標、（ｃ）拡大・縮小率のなどのデータにより構成されており、線種、線幅、制御点座標などを含むグリフの形状を制御することによって３０種程度のエレメントデータで全漢字を構成することができるようになっている。
【００２３】
「涼」という漢字を表示する場合について例示する。「涼」という漢字のうち、「サンズイ」が一つのパーツデータとされ、これは３つのストロークで構成されている。ここでは、「サンズイ」は一種類のエレメントデータ（横に延びる水平線形状）を用い、三つの位置、角度にこのエレメントデータを配置することによって、「サンズイ」を表現している。そして、このようにして表示される「サンズイ」は、「２３ｈ」というパーツを特定する番号（パーツコード）が割り振られている。
【００２４】
残りの部分である「京」も一つのパーツデータとされ、６つのストロークを５種類のエレメントデータで表現されている。「京」についても、「７２ｊ」というパーツ番号が割り振られる。特定の漢字コード「００１２」が割り振られている「涼」という文字は、それぞれ「２３ｈ」「７２ｊ」というパーツコードで特定されるパーツデータで構成されており、これら複数のパーツデータを所定の表示位置に配置することにより、表示することができる。この場合、エレメントコードとそれぞれのエレメントにかかる表示位置情報とが関連づけられたデータベースと、パーツコードとそれぞれのパーツデータにかかる表示位置情報とが関連づけられたデータベースの二つを参照して、図示しない制御手段は一つの漢字を表示することができる。
【００２５】
本実施形態の携帯端末のフォント表示システムは、パーツコードとエレメントコードに基づいて文字コードに対応したフォントを生成するフォント生成エンジンが設けられている。これによって、エレメントデータを複数の文字コードもしくはパーツで共有することで書体を変更する際に変更するデータを軽量化することができる。  このため、異なる漢字書体を効率的に制作し、好みの漢字をデザインすることが容易になる。ユーザは、自ら編集・制作した複数の書体のエレメントデータをインターネット上のサーバーに保存することができる。そのインターネットサイトから、複数の書体デザインにかかるエレメントデータ（その集合を含む）のうちの一つを携帯端末にダウンロードすることによって、初期設定されているエレメントデータ（その集合を含む）の書体と入れ替えることができ、自分好みの唯一の携帯端末のフォント表示システムを構築することができる。
【００２６】
もしくは、インターネットを介してエレメントデータにかかるデザインを制作し漢字デザインを編集するソフトウエアツールを配布し、PCから各種携帯端末メモリにエレメントデータを保存し携帯端末の初期設定されているエレメントデータ（その集合を含む）と入れ替えることもできる。
【００２７】
すなわち、携帯電話機やＰＤＡなどの携帯端末において初期設定された書体以外にも、その好みに応じて複数の書体の中から選択でき、また自分でデザインした書体を携帯端末に組み込んで利用することができる。例えば、個人がインターネットサイトまたは移動端末ネットワークを介して簡便に書体を制作し投稿できるサイトを提供し、そのサイトで好みの文字をデザインしデータ変換した書体を携帯端末にダウンロードし、初期設定されている書体と入れ替えることができる。
【００２８】
本願発明を利用すれば、個人でつくった書体を自分だけの書体が組み込まれた移動端末に着せ替えることができる書体制作支援サイトおよびダウンロードシステムサービスを構築することもできる。このような書体支援サイト及びダウンロードシステやム個人がつくった書体をサイトに公開して誰でもダウンロードして書体を公開できるとともに、制作した書体を公開したくない場合は、パスワードなどのユーザ認証処理を介在させることでその権利を守ることができる。
【００２９】
フォントサーバーとなる制作支援サイトツールにおいては、日本語の非漢字だけを制作支援サイトのツールを介してデザインすることでサイトに用意された漢字書体の中から選択し日本語セットを完成させることができる。また、制作支援サイトツールにおいてアウトラインでデザインするだけでなく不慣れな人でも容易にデザインができるようにドットパターンや線描画から書体を完成することもできる。
【００３０】
フォントサーバーは、インターネット上に設けられたサーバーであり、インターネットサイトまたは移動端末ネットワークを介して簡便に書体を制作し投稿できるサイトとして立ち上げることができる。なお、個人が自ら制作した書体を公開したくない場合は、パスワードなどユーザ認証を介在することでその権利を守ることができる。
【００３１】
携帯端末は、フォントデータベースから取得されたエレメントデータに基づいて文字コードに対応したフォントを生成するためのフォント生成エンジンをハードウェアまたはソフトウェアとして備えており、これによってフォントサーバーからダウンロードされたフォントデータに基づいてその液晶表示部などに文字コードに対応した文字を特定書体でフォント表示させる機能を有している。こうして、ユーザはそのフォントサーバー上で好みの文字をデザインしたエレメントデータを携帯端末にダウンロードし、初期設定されている書体と入れ替えることができる。すなわち、書体制作支援サイトおよびダウンロードシステムサービスを提供するフォントサーバーを介して、フォントデータを携帯端末にダウンロードして、個人でつくった書体が組み込まれた携帯端末として利用することができる。
【００３２】
パーツデータは、パーツごとに必要なエレメントデータを特定するエレメントコード、位置情報、角度・拡縮率などのエレメント変形情報などを含むデータであり、複数文字コードで共有化することができるために、ＪＩＳコードで規定する第一水準、第二水準フォントデータ容量を格段に軽量化できる利点を有している。つまりパーツデータのエレメント構成は書体デザインによらず共通である。これにより１０００以上にも及ぶ多くの漢字（例えば、日本では第一・第二水準の漢字を合わせて約６０００の漢字が存在する）は、エレメントデータを考案制作するだけで完成させることができる。
【００３３】
また、前記フォント生成エンジンは、漢字のエレメントデータと、エレメントデータの組み合わせを指定したパーツデータとに基づいて漢字コード群に対応したフォントデータを一括生成することができる。こうして、本願発明にかかるフォントエンジンは、入力される文字毎に複数のパーツデータ(たとえば辺や旁)とその位置情報、パーツを構成するエレメントコードのデータベース構造をもったエレメントデータを参照して文字として出力データされる。
【００３４】
（実施例１）
以下、本願発明の実施例１について図面を参照しながら詳細に説明する。なお、複数の図面に同じ要素を示す場合には同一の参照符号を付ける。
【００３５】
図３は実施例１による携帯端末のフォント表示システムの説明図であり、図４は携帯端末のブロック構成図である。
携帯端末のフォント表示システム１は、インターネット上に設けられ文字コードに対応して表示される非漢字フォントデータと漢字エレメントデータからなるフォントサーバー２と、文字のデザインを行ってフォントサーバー２にデータを送信するためのコンピュータ３と、フォントサーバー２からインターネットを介してダウンロードされたフォントデータに基づいてその液晶表示部に文字コードに対応した文字を特定書体でフォント表示させる携帯端末としての携帯電話機１０と、を有して構成されている。なお、コンピュータ3は、携帯端末を含むことができる。
【００３６】
また、上記のようにサーバーを介したダウンロードによるエレメントデータの保存方法以外にもPCからmicro sdなどの端末用記憶メモリに直接保存することもできる。
【００３７】
携帯電話機１０は、図示しないインターネット上の基地局との通信を可能とするアンテナ１１と、アンテナ１１を介して基地局と通信を行い通信データをデジタル形式で入出力を行う無線送受信部１２と、音声を入力するマイク１５と、音声を出力するスピーカ１４と、マイク１５からの音声信号をデジタル送信データとして出力し、デジタル受信データを音声信号としてスピーカ１４に出力する音声処理部１３と、着信があった場合にこれを利用者に知らせるスピーカ（図示せず）またはバイブレータ（図示せず）またはこれらの両方からなる着信警報部１６と、利用者による操作およびデータ入力を可能とするスイッチ類（図示せず）からなるキー操作部１７と、種々の情報を表示するＬＥＤなどからなる表示装置１８と、携帯電話機１０全体の制御を行うための制御部１０から構成される。
【００３８】
制御部１０は、種々のプログラムやフォントデータなどを格納するためのＲＯＭ２０および動作中に発生するフォントデータなどを記憶するための書き換え可能な不揮発性メモリ３０を含む。なお、携帯電話機１０には、非漢字フォントデータを別の非漢字データに入れ替えて初期設定のフォントエンジンを介して表示するための非漢字フォント選択ボタン、漢字フォントデータにおける前記エレメントデータを選択してフォント生成エンジンを介して液晶表示部に表示させるための漢字フォント選択ボタンなどを別に設けることも可能になっている。
【００３９】
以上説明したように実施例１の携帯電話機１０は、ハードウェアの観点からは、通常の携帯電話機であれば特に規定されることなく適用でき、カメラ付き携帯電話機などにも応用可能である。
【００４０】
携帯電話機１０のＲＯＭ２０にはインターネットを介してフォントサーバー２とのデータ送受信を可能とするメイラープログラム４２、主に電子メールなどを作成する際に所望の文字を入力するためのＦＥＰ（front-end processor）またはＩＭＥ（input method editor）と一般に呼ばれる入力プログラム４４、および少なくとも１種類のフォントデータ（図３の例ではフォントＡ〜Ｃの３種類）が格納されるデータ部３６が用意されている。書き換え可能な不揮発性メモリ３０には、無線送受信部１２を介して外部から獲得されたフォントデータや画像データが格納されるフォントデータ部３４を備えている。また、この不揮発性メモリには、エレメントデータや、文字コードとパーツデータ・表示位置情報が関連づけられたデータベース、パーツコードとエレメントコード・表示位置情報が関連づけられたデータベースも格納されている。
【００４１】
なお、ＲＯＭ２０には、不揮発性メモリ３０に蓄積された任意の画像データの全部または一部を通常の文字と同じフォントフォーマットに変換して登録するためのフォント変換プログラム４８が格納される。
【００４２】
このようにして登録されたフォントデータや外字データは、不揮発性メモリ３０のフォントデータ部３４に格納される。したがって、ＲＯＭ２０のデータ部３６に記憶された各種フォントデータと不揮発性メモリ３０のフォントデータ部３４に格納されたフォントデータが、携帯電話機１０で使用可能なフォントデータとなる。さらに、ＲＯＭ２０には、不揮発性メモリ３０に格納されているフォントデータを任意のサイズに拡大または縮小するためのスケーラブルフォントエンジン（ＳＦＥと略称する）プログラム４６、および外字データを含むフォントデータの削除や他の携帯電話機への送信などを行うためのフォント管理ユーティリティプログラム５０を格納することができる。
【００４３】
（実施例２）
以上のように構成された携帯端末のフォント表示システム１が適用されるビジネスモデルについて次に説明する。
実施例２のビジネスモデルは図５に示すように、
（ａ）ユーザがＰＣもしくは携帯端末からフォントサーバー２上の書体作成サイト２ａにアクセスし、自分好みの書体デザインにかかるエレメントデータを編集・創作してアップロードするステップと、
（ｂ）書体作成サイト２ａは、アップロードされたエレメントデータを携帯電話機１０に搭載されたフォント生成エンジンに対応する所定のフォーマットに変換して格納するステップと、
（ｃ）フォントサーバー２上の配信サーバー（ケータイサイトであることが望ましい）に格納したエレメントデータを携帯電話機１０にダウンロードして、携帯電話機１０の不揮発性メモリのフォントデータ部３６に記憶させるステップと、
（ｄ）携帯端末に搭載されているフォント生成エンジンを介して当該エレメントデータを使用した漢字を表示部上に表示させるステップ、の４要素からなる基本的構成を備えている。
なお、上述した書体作成サイトとは、ユーザが自分のためにフォントにかかるエレメントデータを編集・創作し、これを格納するために作業をするインターネットサイトのことをいう。
【００４４】
フォント生成エンジンを備えた携帯電話機１０では漢字のエレメントデータの入れ替えが可能であり、これらの漢字のエレメントデータに関わる位置情報は複数の異なる書体でも共有されるようになっている。
フォントを切り換える際における漢字デザインの変更は、図５の下部の四角枠に中に示すように、例えば、エレメントデータのセットＡとエレメントデータのセットＢとを入れ替えることで実施される。なお、エレメントデータセット全体を入れ替えるのではなく、一つのエレメントデータもしくは一部のエレメントデータを入れ替えることでも本願発明の目的を達成しうる。
【００４５】
このために、携帯端末のメモリには、ユーザが現在の操作で表示する漢字の書体について特定したエレメントデータのセットにかかる情報（エレメントデータセットコード）を格納する手段を設けることが望ましい。制御部は、漢字を表示する際に、エレメントデータセットコードを参照して、現在、ユーザにより選択されているエレメントデータのセットにかかるエレメントデータを利用して漢字を表示する。なお、かかるエレメントデータセットコードは、ユーザが選択するのではなく、最新にダウンロードされたエレメントデータにかかるエレメントデータセットコードを指定するようなデフォルト設定を行うことも可能である。この場合でも、上記格納する手段には、最新にダウンロードされたエレメントデータにかかるエレメントデータセットコードがデフォルトで格納されることになる。このような格納手段を設けることによって、ユーザは同一のエレメントにかかる複数のエレメントデータのうちの一つを指定することができる。かかる指定は、携帯端末のメニュー画面等からユーザが操作することによって行うことができる。
【００４６】
この漢字デザインの変更処理におけるパーツコードは、複数のエレメントコードとして保持されるとともに、文字デザインはパーツデータにパーツデータの表示位置情報を付加したものとして処理されるようになっている。
【００４７】
そして、これらの基本的構成を実現するために、本ビジネスモデルは図６に示すように、フォントサーバー２上にある、文字の変換・登録を支援するためのＷｅｂサイト２ａを介して文字配信サーバー（ケータイサイト）２ｂに、フォントデータが送信されるとともに、一般消費者５はその保有する携帯電話機１０にこのエレメントデータをダウンロードして、携帯電話機１０中に搭載されているフォント生成エンジンによって、新たな漢字書体に変換して利用するようになっている。
【００４８】
なお、一般消費者５は携帯電話機を運営するキャリア会社６に所定のフィーを支払うことで使用権を取得して、このキャリア会社６と契約したサーバー運営会社７がフォントサーバー２に関わる運営管理を行うとともに、Ｗｅｂサイト２ａに対して所定のフィーが付加されるようになっている。
【００４９】
Ｗｅｂサイト２ａには、著名人などにより作成された文字のエレメントデータや、一般人により投稿された文字のエレメントデータがダウンロード可能な態様で提供されており、これらがユーザによってダウンロードされるごとにライセンスフィーが文字の作成者に付与される。一方、携帯電話機の製造メーカ８に対してはフォントエンジンに関わる設計仕様が供与される。製造メーカ８はこのような設計仕様に従うフォントエンジンフォーマットに適合したフォントエンジンを携帯電話機１０に搭載して、これを一般消費者５に販売するのである。
【００５０】
（実施例３）
図７は、フォントサーバー２に登録されるエレメントデータの生成手順を示す実施例３のフローチャートであり、図８は携帯電話機１０におけるフォント生成エンジンの動作例を示す実施例３のフローチャートである。
実施例３では、フォントサーバー２側において、漢字を複数のエレメントとその位置情報に変換するフォント生成手順と、携帯電話機１０において実行される、エレメントデータに基づいてその液晶表示部にフォント表示する処理手順について説明する。
【００５１】
図７に示すように、フォントサーバー２に書体デザインを登録する最初のステップＳ１０では、フォントサーバー２にアクセスするユーザＩＤ、パスワードが入力されて、これらのデータがメモリに記憶される。
次のステップＳ１１では、これから編集・創作の対象となる漢字にかかるエレメントコードが入力される。その後、ユーザは入力したエレメントコードにかかるエレメントデータを編集・創作する。
ステップＳ１２では、書体デザインが完成したか否かがチェックされ、未完成の場合（ｎｏ）はステップＳ１０へ移行し、完成している場合（ｙｅｓ）は次のステップＳ１３に移行する。
ステップＳ１３では、ステップＳ１０で入力されたパスワードデータが既に登録されたものと合致するかを検証するセキュリティチェックやその登録管理がなされる。
ステップＳ１４では、フォントサーバー２にアップデートされたエレメントのデータを、データ変換コンバーターを介して指定フォーマットデータに変換する。
最後のステップＳ１５では、フォーマット変換後のデータを登録して終了する処理がなされる。
【００５２】
図８に示すように、携帯電話機１０におけるフォント表示処理においては、まずフォントサーバー２からエレメントデータをダウンロードする（ステップＳ２０）。
次のステップＳ２１では、このダウンロードされたデータが有料か無料かを判定して、無料の場合（ｎｏ）はステップＳ２３へ移行し、有料の場合（ｙｅｓ）は次のステップＳ２２に移行する。
ステップＳ２２ではキャリア会社の課金システムにアクセスしてダウンロード文字に関わる課金処理がなされる。
ステップＳ２３では、このダウンロードされたデータが非漢字のみか、漢字を含むか否かを判定して、非漢字のみの場合（ｙｅｓ）はステップＳ２４へ移行し、漢字を含む場合（ｎｏ）にはステップＳ２５に移行する。
ステップＳ２３では、携帯電話機内の初期設定の文字セットにおける非漢字のみを置換する処理がなされる。
一方、漢字を含む場合のステップＳ２５では、携帯電話機内のエレメントデータを入れ替える処理がなされる。
【００５３】
実施例３における携帯端末のフォント表示システムは、モバイル製品やデジタル家電製品などの小画面表示に適した軽量スケーラブルフォントである所定のエレメントデータをベースに変換を行うものである。このような処理するフォント生成エンジンは、独自の文字生成エンジンプログラムにより、最適化処理によって小さな文字でも視認性と可読性に優れたスケーラブルフォントを提供できる。さらに日本語、中国語（簡体・繁体）、韓国語、欧州各言語、その他多国言語に対応できる汎用性を備えている。
【００５４】
以上説明したように本願発明では、エレメントデータがフォントサーバーに格納されており、携帯端末によりこのフォントサーバーにアクセスして前記フォントサーバーから取得された前記エレメントデータに基づいて漢字コードに対応したフォントを携帯端末に表示することを要旨としたものである。これに該当するものは本願発明の権利範囲に属する。例えば本実施例に示したエレメントデータ生成手順や携帯電話機のブロック構成などはその一例を示すものであって、これらのものに限定されることなく本願発明を適用することができる。
【図面の簡単な説明】
【００５５】
【図１】第一の実施態様による漢字の表示プロセスの説明図である。
【図２】第二の実施態様による漢字の表示プロセスの説明図である。
【図３】実施例１における携帯端末のフォント表示システムの説明図である。
【図４】同フォント表示システムにおける携帯端末のブロック構成図である。
【図５】実施例２のフォント表示システムにおける説明図である。
【図６】同フォント表示システムが適用されるビジネスモデル構成図である。
【図７】実施例３に係るフォント表示システムにおけるエレメント変換エンジンの動作説明図である。
【図８】同フォント表示システムにおけるフォント生成エンジンの動作説明図である。
【図９】「サンズイ」を表すエレメントデータの例である。
【符号の説明】
【００５６】
１         フォント表示システム
２         フォントサーバー
２ａ  書体作成サイト（Ｗｅｂサイト）
２ｂ  文字配信サーバー（ケータイサイト）
３       コンピュータ
４       Ｗｅｂサイト
５       一般消費者
６       キャリア会社
７       サーバー運営会社
８       携帯電話機の製造メーカ
９        携帯電話機
１０ａ    制御部
１１     アンテナ
１２     無線送受信部
１３     音声処理部
１４     スピーカ
１５     マイク
１６     着信警報部
１７     キー操作部
１８     表示装置
２０     ＲＯＭ
３０     不揮発性メモリ
３４     フォントデータ部
３６     データ部
４２     メイラープログラム
４４     入力プログラム
４６     ＳＦＥプログラム
４８     フォント変換プログラム
５０     フォント管理ユーティリティプログラム
【図３】
2010102274.tif 000003
【図４】
2010102274.tif 000004
【図５】
2010102274.tif 000005
【図６】
2010102274.tif 000006
【図７】
2010102274.tif 000007
【図８】
2010102274.tif 000008
【図９】
2010102274.tif 000009
【図１】
2010102274.tif 000010
【図２】
2010102274.tif 000011
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
漢字を表示する表示手段と、
複数のエレメントデータ、及び、一の漢字を特定する漢字コードと、当該一の漢字を構成する複数の前記エレメントデータを特定するエレメントコードと、前記表示手段上で前記一の漢字を表示すべく前記エレメントデータのそれぞれの表示位置に関連する表示位置情報とが関連づけられているデータベースとを記憶するメモリと、
前記漢字コードに関連する入力情報を受け入れる入力手段と、
前記入力情報に関連する前記漢字コードを参照し、前記メモリに記憶された前記エレメントデータ及び前記第一のデータベースにアクセスし、前記漢字コードに対応する漢字を前記表示手段上で表示するための制御手段と、
を具備する、フォント表示システム。
【請求項２】
漢字を表示する表示手段と、
複数のエレメントデータ、及び、一の漢字の一部であるパーツデータを特定するパーツコードと、当該パーツデータを構成する複数の前記エレメントデータを特定するエレメントコードと、前記表示手段上で前記パーツデータを表示すべく前記エレメントデータのそれぞれの表示位置に関連する第一の表示位置情報とが関連づけられている第一のデータベース、一の漢字を特定すべくぞれぞれの前記パーツデータの表示位置に関連する第二の表示位置情報とが関連づけられている第二のデータベースが記憶されているメモリと、
前記漢字コードに関連する入力情報を受け入れる入力手段と、
前記入力情報に関連する前記漢字コードを参照し、前記メモリに記憶された前記複数のエレメントデータ、前記第一のデータベース、前記第二のデータベースにアクセスし、前記漢字コードに対応する漢字を前記表示手段上で表示するための制御手段と、
を具備する、フォント表示システム。
【請求項３】
前記複数のエレメントデータの少なくとも一部について、該エレメントデータと同じエレメントにかかる別のエレメントデータを記憶するための記憶手段を具備する、請求項１または２のフォント表示システム。
【請求項４】
同一のエレメントにかかる複数のエレメントデータのうちの一つを特定する情報を格納する格納手段を具備する、請求項１ないし３のいずれかに記載のフォント表示システム。
【請求項５】
漢字を前記表示手段上で表示するために、前記制御手段が、前記格納手段を参照することを特徴とする、請求項４のフォント表示システム。
【請求項６】
前記表示位置情報は、同一のエレメントにかかる複数のエレメントデータにおいて共通であることを特徴とする、請求項１ないし５のいずれかに記載のフォント表示システム。
【請求項７】
ユーザが編集もしくは創作したエレメントデータである制作エレメントデータが記憶されたサーバーのメモリから、通信網を介して、前記制作エレメントデータを受信する受信手段をさらに具備する、請求項１ないし請求項６のいずれかに記載のフォント表示システム。
【請求項８】
ユーザが編集もしくは創作したエレメントデータにかかる情報を、通信網を介して、サーバーに送信する送信手段をさらに具備する、請求項７にかかるフォント表示システム。
【請求項９】
ユーザが編集もしくは創作したエレメントデータである制作エレメントデータ及びそのエレメントコードにかかる情報を受け入れる入力手段と、
前記入力手段が受け入れた前記エレメントコードと、前記制作エレメントデータを記憶するメモリ手段と、
ユーザの要求により、前記制作エレメントデータをユーザの保有する情報端末に送信する送信手段を具備するフォントサーバーであって、
前記ユーザの保有する情報端末は、請求項１ないし請求項８のいずれかにかかるフォント示システムを具備することを特徴とする、フォントサーバー。